(57)【要約】折り畳み式携帯電話装置では、開閉する筐体の表と裏にそれぞれ液晶表示装置を設けているためノイズが発生する。そのため、携帯電話装置に用いる液晶表示装置を第一の液晶表示部（１）と第二の液晶表示部（２）を接続用フレキシブル基板（３）で一体化しドライバー回路（４）を共用した。第一の液晶表示部（１）には接続用フレキシブル基板（３）を接続して、接続用フレキシブル基板（３）には第二の液晶表示部（２）を接続している。第二の液晶表示装置（２）は第一の液晶表示部（１）に接続用フレキシブル基板（３）で継ぎ足された形になっており、いずれもドライバー回路（４）で駆動する。表示切り替えは択一的な表示切り替えの他に、同時表示への表示切り替えも可能にしている。
2004027504.tif 000002
【特許請求の範囲】
【請求項１】
複数の液晶表示部をフレキシブル基板で一体につなぎ、共通のドライバー回路で前記複数の液晶表示部を駆動するように構成した携帯電話装置。
【請求項２】
前記複数の液晶表示部を全透過型液晶表示部か半透過型液晶表示部か全反射型液晶表示部かの、いずれか異なる二以上の液晶表示部を組み合わせて、フレキシブル基板で一体につなぎ、一つのドライバー回路で駆動するように構成した請求項１に記載の携帯電話装置。
【請求項３】
前記複数の液晶表示部をフレキシブル基板で一体につなぎ、一つのドライバー回路で前記複数の液晶表示部の内の一つの液晶表示部を選択して駆動するように構成した請求項１に記載の携帯電話装置。
【請求項４】
前記複数の液晶表示部をフレキシブル基板で一体につなぎ、共通のドライバー回路で前記複数の液晶表示部の内の二以上の液晶表示部を同時に駆動するように構成した請求項１に記載の携帯電話装置。
【請求項５】
一組の液晶表示部をフレキシブル基板部分で折り曲げて取りつける際に、バックライトを中間に挟む形にして、バックライトを共用するようにした請求項１に記載の携帯電話装置。
【請求項６】
複数の液晶表示部をフレキシブル基板で一体につなぎ、共通のドライバー回路で前記複数の液晶表示部を駆動するようにし、前記複数の液晶表示部について表示切り替えを行なうように構成した液晶表示装置。
【請求項７】
前記の構成に加えて、複数の液晶表示部を取り付けるホルダーを有し、ホルダーの表面と裏面に第一の液晶表示部と他の液晶表示部をそれぞれ取り付け、表裏に液晶表示部を有する液晶表示装置とした請求項６に記載の液晶表示装置。
【請求項８】
前記複数の液晶表示部をフレキシブル基板部分で折り曲げて前記ホルダーに取りつける際に、バックライトを少なくとも一つの前記液晶表示部と前記ホルダーの間に挟む形で取り付けるようにした請求項７に記載の液晶表示装置。
【請求項９】
前記複数の液晶表示部を取り付けるホルダーにバックライト光を通過する穴部を設け、バックライト光をホルダーの表面と裏面に取り付けた複数の液晶表示部のそれぞれに照射できるようにした請求項８に記載の液晶表示装置。
【請求項１０】
請求項６から請求項９に記載のいずれかの液晶表示装置を用いた携帯電話装置。
【請求項１１】
請求項６から請求項９に記載のいずれかの液晶表示装置を用いた、開閉タイプ、スライドタイプ、あるいはスライド回転タイプの折り畳み式携帯電話装置において、第一の筐体に対する第二の筐体の相対位置に応じて、第一の液晶表示部または第二の液晶表示部の画像の天地を切り替えるようにした折り畳み式携帯電話装置。
【請求項１２】
請求項６から請求項９に記載のいずれかの液晶表示装置を用いた、開閉タイプ、スライドタイプ、あるいはスライド回転タイプの折り畳み式携帯電話装置において、第一の液晶表示部と第二の液晶表示部を同時に表示するときには、画像の天地を同じにするようにした折り畳み式携帯電話装置。
【発明の詳細な説明】
【技術分野】  本発明は、複数の液晶表示部を備えた折り畳み式携帯電話装置等の携帯電話装置に用いる液晶表示装置と液晶表示装置を用いた携帯電話装置に関する。
【背景技術】  従来の折り畳み式携帯電話装置では、例えば、特開２００１−１３６２５１号に記載されたように、操作者が筐体を開いた状態で見る第一の液晶表示装置と、筐体を閉じた状態で見る第二の液晶表示装置を設けたものが知られている。
従来の折り畳み式携帯電話装置２００の概略断面図を図１９に示す。折り畳み式携帯電話装置２００は、第一の筐体２１２から延びたアームの先のヒンジ２１３に第二の筐体２１４を開閉自在に支承している。第二の筐体２１４には、第二の筐体２１４を開いたときに操作者が見る第一の液晶表示装置２０１と、第二の筐体２１４を閉じたときに操作者が見る第二の液晶表示装置２０２をそれぞれの表示面が外部から見えるように取り付けている。第一の液晶表示装置２０１は全透過型液晶表示装置を用い、背面にバックライト２０９を設けて、背面から光を照射して明るい表示画面を実現している。第二の液晶表示装置２０２は半透過型液晶表示装置を用い、外部光を反射してバックライトなしでも表示内容が見えるようにしている。
第一の液晶表示装置２０１と第二の液晶表示装置２０２はそれぞれ独立した液晶表示装置であり、それぞれのドライバー回路２４１、２４２で駆動する。第一の液晶表示装置２０１と第二の液晶表示装置２０２とバックライト２０９は、先端が分岐した制御用フレキシブル基板２１６にそれぞれ接続されており、制御用フレキシブル基板２１６の他端は第一の筐体２１２内の本体基板２１５に接続されている。
第二の筐体２１４には、開閉検出用の磁石２２２とスピーカ２２４が実装されている。スピーカ２２４は図示していないが、前述の制御用フレキシブル基板２１６に接続し、本体基板２１５の無線部２２０で受信した通話相手の音声を出力する。
第一の筐体２１２には、携帯電話装置の本体基板２１５を設けている。本体基板２１５には、制御部２１８、メモリー２１９、無線部２２０の各回路やキー操作部２１７、マイク２２３、開閉検出手段２２１を実装して携帯電話装置としての無線通信機能を実現している。
図２０に、従来の折り畳み式携帯電話装置２００の概略ブロック図を示す。図２０の制御部２１８には、第一のドライバー回路２４１と第二のドライバー回路２４２を接続して、その先にそれぞれ第一の液晶表示装置２０１と第二の液晶表示装置２０２を接続している。第一のドライバー回路２４１と第二のドライバー回路２４２には表示する画像情報を一時記憶する第一のメモリー部２５１と第二のメモリー部２５２を設けている。また、制御部２１８には画像情報を記憶したメモリー２１９、全透過型の液晶表示装置である第一の液晶表示装置２０１用のバックライト２０９、無線通信を行う無線部２２０，送話用のマイク２２３、受話用のスピーカ２２４、キー操作部２１７、開閉検出部２２１を接続している。
この従来の携帯電話装置２００の表示動作を説明する。例えば、待ち受け画面を表示するときは、制御部２１８は、開閉検出手段２２１から第二の筐体２１４の開閉状況を確かめる。第二の筐体２１４が閉じていれば、制御部２１８はメモリー２１９から待ち受け画面用の画像情報を読出し、第二のドライバー回路２４２の第二のメモリー部２５２に記憶させて、第二の液晶表示装置２０２に待ち受け画面を表示させる。このとき、第一の液晶表示装置２０１用の第一のドライバー回路２４１の第一のメモリー部２５１には制御部２１８から画像情報を送らなくてよい。
その後、開閉検出手段２２１が第二の筐体２１４が開いたことを検出すると、制御部２１８は前記第二の液晶表示装置２０２の電源を切り、代わりに第一の液晶表示装置２０１の電源を入れて、第一の液晶表示装置２０１に表示させる画像情報をメモリー２１９から読み出して、第一のドライバー回路２４１の第一のメモリー部２５１に記憶させて表示させる。そして、他の画像を表示するときも第二の筐体２１４の開閉動作に応じて上記と同様の表示切り替え動作を行う。
このように、表示している液晶表示手段の電源を切り、他の液晶表示装置の電源を入れて画像情報をメモリーから読み出して、ドライバー回路のメモリー部に一時記憶させてから表示させるという表示切り替え動作は、第二の筐体の開閉を素早く行ったときには表示切り替えが追随せず、筐体を開いた後に液晶表示画面が立ち上がることが起きる。
従来の折り畳み式携帯電話装置等の複数の液晶表示装置を持った携帯電話装置では、複数の液晶表示装置を個々に独立した液晶表示装置としている。そのため、液晶表示装置ごとにドライバー回路を取り付け、それぞれ液晶表示部とドライバー回路間で配線を行っている。液晶表示装置を駆動し画像信号を送るとノイズが発生し、無線部２２０の無線通信に影響を与えるので、個々のドライバー回路をシールド板で覆うなどのノイズ対策を施す必要がある。シールドを完全にするためには、少なくともシールド板とその周囲を密着固定する手段が必要であり、シールド対策部品が携帯電話装置内で所定の空間を占め、携帯電話装置の重さを増し、所定の組立工数を必要とする。液晶表示装置の数が増えれば増えただけ、シールド対策部品も増える。複数の液晶表示装置を持った携帯電話装置では、液晶表示装置に起因するノイズ対策は、携帯電話装置の小型化、薄型化、軽量化、コスト低減と組立て性の向上を妨げるという課題を有していた。
【発明の開示】
本発明は、これら複数の液晶表示装置を用いたことによるノイズの低減、小型化、薄型化、軽量化、コスト低減と組立て性の向上という課題を解決した液晶表示装置及び液晶表示装置を用いた携帯電話装置を提供することを第一の目的としている。
また本発明は、第一の液晶表示装置と第二の液晶表示装置の表示切り替えに一定の時間がかかり、筐体の開閉動作を素早く行なえば表示切り替えが追随しないという問題を解決することを第二の目的としている。
さらに本発明は、最近普及し始めたカメラ付き携帯電話装置のモニター画像を第一の液晶表示装置と第二の液晶表示装置に同時に表示させるというように、第一の液晶表示装置と第二の液晶表示装置を同時に表示させるようにした携帯電話装置を提供することを第三の目的としている。
本発明の携帯電話装置では、複数の液晶表示部をフレキシブル基板で一体につなぎ、共通のドライバー回路で複数の液晶表示部を駆動している。これにより、ドライバー回路を共用化してドライバー回路の数を減らしたことと、ドライバー回路に接続する配線を少なくしたことにより複数の液晶表示装置を用いたことによるノイズを低減している。そして、携帯電話装置の小型化、薄型化、軽量化とコスト低減と組み立て性の向上を実現している。
また、本発明の携帯電話装置では、複数の液晶表示部を全透過型液晶表示部か半透過型液晶表示部か全反射型液晶表示部かの、いずれか異なる二以上の液晶表示部を組み合わせて、フレキシブル基板で一体につなぎ、一つのドライバー回路で駆動している。これにより、製造工程の異なる液晶表示装置を一つの液晶表示装置として一体化することができる。
更に、本発明の携帯電話装置では、複数の液晶表示部をフレキシブル基板で一体につなぎ、一つのドライバー回路で複数の液晶表示部の内の一つの液晶表示部を選択して駆動している。ドライバー回路を共用化したことにより、ドライバー回路のメモリー部に画像情報を記憶して、第一の液晶表示部に表示させるか、他の液晶表示部に表示させるかをドライバー回路の表示切替部で切り替えるだけで、画像を表示する液晶表示部を切り替えている。これにより、筐体の開閉動作が素早く行われたとしても、表示切り替えを追随させることができる。
また、本発明の携帯電話装置では、複数の液晶表示部をフレキシブル基板で一体につなぎ、共通のドライバー回路で前記複数の液晶表示部の内の２以上の液晶表示部を同時に駆動する構成を採る。これにより、ドライバー回路の表示切替部で第一の液晶表示部と他の液晶表示部を同時に表示するように切り替えることもできる。例えば、カメラ付き携帯電話装置で人物写真を撮影するときの撮影者と被写体となる被撮影者の両者が同時にモニター画像を見たり、撮影済みの写真等の画像を携帯電話装置の両側から見ることが出来る。
更に、本発明の携帯電話装置では、一組の液晶表示部をフレキシブル基板を折り曲げて取りつける際に、バックライトを中間に挟む形にして、バックライトを共用している。これにより、一組の液晶表示部でバックライトを共用することができる。
また、本発明の液晶表示装置は、複数の液晶表示部をフレキシブル基板で一体につなぎ、共通のドライバー回路で複数の液晶表示部を駆動するようにし、複数の液晶表示部について表示切り替えを行なう。これにより、一つのドライバー回路で駆動する複数の表示部を選択的に、あるいは同時に表示させることができる。
また、本発明の液晶表示装置は、複数の液晶表示部を取り付けるホルダーを更に用いることにより、ホルダーの表面と裏面に第一の液晶表示部と他の液晶表示部をそれぞれ取り付けることにより、表裏に液晶表示部を設けている。これにより、ホルダーの表面と裏面に液晶表示部を取り付けるだけでユニット化された液晶表示装置を簡単に組み立てることが出来る。
更に、本発明の液晶表示装置は、複数の液晶表示部を接続しているフレキシブル基板を折り曲げてホルダーに取りつける際に、バックライトを少なくとも一つの液晶表示部とホルダーの間に挟む形で取り付けている。これにより、バックライトも一体化した液晶表示装置を簡単に組み立てることが出来る。
また、本発明の液晶表示装置は、複数の液晶表示部を取り付けるホルダーにバックライトの光が通過する穴部を設け、バックライトの光をホルダーの表面と裏面に取り付けた複数の液晶表示部のそれぞれに照射している。これにより、複数の液晶表示部でバックライトを共用した液晶表示装置を実現している。
また本発明は、上記した複数の液晶表示部をフレキシブル基板で一体につないで共通のドライバー回路で前記複数の液晶表示部を駆動するようにした液晶表示装置を用いている。これにより、複数の液晶表示装置を用いたことによるノイズの低減と、小型化、薄型化、軽量化と組立性の向上を実現した携帯電話装置を実現している。
また本発明は、携帯電話装置を第一の筐体に対して第二の筐体を開閉する開閉タイプ、スライドするスライドタイプ、あるいは水平方向に回転するスライド回転タイプの折り畳み式携帯電話装置として、第一の筐体に対する第二の筐体の相対位置に応じて第一の液晶表示部または第二の液晶表示部の画像の天地を切り替えるようにしている。これにより、第二の筐体を畳んだとき、開いたときでも見やすい表示ができるようにしている。
特に、第一の液晶表示部と第二の液晶表示部を第二の筐体の表裏に配置して同時に表示するときには、第二の筐体の表と裏のどちらから見ても画像の天地が同じになるように切り替えて見やすい画面を表示するようにしている。
【図面の簡単な説明】  図１は本発明の第一の形態の携帯電話装置の概略断面図である。
図２は本発明の第一の形態の携帯電話装置の概略ブロック図である。
図３は本発明の第一の形態の携帯電話装置に用いる液晶表示装置の展開図である。
図４は本発明の第一の形態の携帯電話装置に用いる液晶表示ユニットの平面図である。
図５は本発明の第一の形態の携帯電話装置を閉じたときの外観図である。
図６は本発明の第一の形態の携帯電話装置を開いたときの外観図である。
図７は本発明の第一の形態の表示切り替え制御のフローチャートである。
図８は本発明の第二の形態の携帯電話装置の使用状態を示す概念図である。
図９は本発明の第二の形態の携帯電話装置の外観図である。
図１０は本発明の第二の形態の携帯電話装置の外観図である。
図１１は本発明の第三の形態の携帯電話装置の外観図である。
図１２は本発明の第三の形態の携帯電話装置の外観図である。
図１３は本発明の第三の形態の携帯電話装置の外観図である。
図１４は本発明の第三の形態の携帯電話装置の外観図である。
図１５は本発明の第三の形態の携帯電話装置の使用状態を示す概念図である。
図１６は本発明の第四の形態の携帯電話装置の概略断面図である。
図１７は本発明の第五の形態の携帯電話装置の概略断面図である。
図１８は本発明の第六の形態の携帯電話装置の概略断面図である。
図１９は従来の折り畳み式携帯電話装置の概略断面図である。
図２０は従来の折り畳み式携帯電話装置の概略ブロック図である。
【発明を実施するための最良の形態】  以下、本発明の実施の形態について図面を用いて説明する。
（実施の形態１）
図１に本発明の第一の形態に係る携帯電話装置の概略断面図を示す。なお、図１に示す本発明の携帯電話装置１００の構成は、第一の筐体２１２、第二の筐体２１４をはじめ多くの部分は先に述べた従来例と同じなので、同じ部分については同一番号を付して説明を省略する。
図１では、複数の液晶表示部を取り付けるホルダー３１０の第一の凹部３１１にバックライト９を嵌め込み、バックライト９の上方のホルダー３１０の第二の凹部３１２に第一の液晶表示部１を嵌め込んでいる。第一の液晶表示部１にドライバー回路４があり、第一の液晶表示部１の一端に接続用フレキシブル基板３を接続して、その接続用フレキシブル基板３の先に第二の液晶表示部２を接続している。第二の液晶表示装置２は第一の液晶表示部１に接続用フレキシブル基板３で継ぎ足された形になっており、いずれもドライバー回路４で駆動する。接続用フレキシブル基板３については、ホルダー３１０の第一の液晶表示部側から第二の液晶表示部側に向けてコの字型に折り曲げて、接続用フレキシブル基板３の先に接続してある第二の液晶表示部２をホルダー３１０の第三の凹部３１３に嵌め込めるようにしている。なお、ホルダー３１０には第二の液晶表示部２の大きさに対応した穴部３１４が明けてあり、バックライト９の光が第二の液晶表示部２に向けて通過するようにしている。そして、第一の液晶表示部１の端部１ａと、バックライト９の端部９ａを先端の分岐した制御用フレキシブル基板２１６にそれぞれ接続している。制御用フレキシブル基板２１６は、第一の筐体２１２の本体基板２１５に接続している。
このように、本発明の携帯電話装置１００では、第二の筐体２１４内の液晶表示装置を、バックライト９と、第一の液晶表示部１と、第一の液晶表示部１に接続用フレキシブル基板３で一体化した第二の液晶表示部２を、ホルダー３１０の第一の凹部３１１、第二の凹部３１２、第三の凹部３１３にそれぞれ嵌め込んで、一つの液晶表示ユニットとして組み立てる構造を採っている。
なお、第二の筐体２１４には、従来例では付いていなかったカメラ２３、２４をそれぞれ第一の液晶表示部側と第二の液晶表示部側につけている。
図２に上記本発明の第一の形態に係る携帯電話装置１００の概略ブロック図を示す。図２でも、多くの部分は先に述べた従来例と同じなので、同じ部分については同一番号を付して説明を省略する。
図２に示すように、本発明では、第一の液晶表示部１と第二の液晶表示部２を一つのドライバー回路４で駆動する。ドライバー回路４にはメモリー部４１の他に表示切替部４２を設けている。表示切替部４２は、制御部１８によって本体基板のメモリー１９から読み出してメモリー部４１に記憶させた画像情報を第一の液晶表示部１に表示させるか、第二の液晶表示部２に表示させるか、それとも両方に同時に表示させるかを切り替える。
制御部１８には、上記以外に、第一のカメラ２３と第二のカメラ２４が接続してあり、キー操作部２１７から入力される操作信号により制御部１８がカメラ撮影動作を制御する。第一のカメラ２３と第二のカメラ２４で撮影した画像情報は、第一のカメラ用メモリー２７と第二のカメラ用メモリー２８にそれぞれ記憶し、読み出し可能にしている。制御部１８は、第一のカメラ２３と第二のカメラ２４の撮影動作を制御するだけでなく、第一のカメラ用メモリー２７と第二のカメラ用メモリー２８に記憶させた画像情報を組み合わせて合成写真画像情報を作成し、合成写真用メモリー２９に記憶し、読み出し可能にしている。なお、メモリー１９には、電話帳情報も記憶しており、電話帳情報として電話帳登録者の電話番号と電話帳登録者の顔写真を関連づけて記憶させている。
図３に本発明に係る携帯電話装置に用いる液晶表示装置の展開図を示す。第一の液晶表示部１は下ガラス基板１０１の上に図示しない液晶を上ガラス基板１０２との間に封入している。下ガラス基板１０１の一端にはゲートドライバー４３とソースドライバー４４からなるドライバー回路４を実装している。下ガラス基板１０１の他端には接続用フレキシブル基板３を接続しており、接続用フレキシブル基板３は第二の液晶表示部２の下ガラス基板２０１に接続している。第二の液晶表示部２の下ガラス基板２０１には図示しない液晶を第二の液晶表示部２の上ガラス基板２０２との間に封入している。
前記接続用フレキシブル基板３は折り曲げ可能であり、既に図１で示したように第一の液晶表示部１と第二の液晶表示部２が第二の筐体２１４内で互いに背面を向き合わせた形で収納されるよう１８０度折り曲げられるようにしている。
ドライバー回路４のゲートドライバー４３からは第一の液晶表示部１と第二の液晶表示部２にそれぞれゲート配線５，６を接続し、ソースドライバー４４からは第一の液晶表示部１と第二の液晶表示部２にそれぞれソース配線７，８を接続している。
図４に、上記本発明に係る携帯電話装置に用いるバックライト９と、第一の液晶表示部１と、第一の液晶表示部１に接続用フレキシブル基板３で一体化した第二の液晶表示部２を、ホルダー３１０の第一の凹部３１１、第二の凹部３１２、第三の凹部３１３にそれぞれ嵌め込んで、一つの液晶表示ユニットとして組み立てたときの平面図を示す。なお、組立方法及び断面図については、既に図１で説明したので省略する。
以上のように、ドライバー回路の数を減らし、ドライバー回路に接続する配線を減らして、複数の液晶表示装置を用いたことによるノイズの発生を低減している。
また、ドライバー回路の数を減らしたことにより、ドライバー回路に施していたシールド部材などのノイズ対策部品と取り付け部品も併せて削減して、携帯電話装置の小型化、薄型化、軽量化とコスト低減、組立性の向上を実現している。特に、複数の液晶表示部とバックライトをホルダーに嵌め込んで組み立てる構造にしたことにより、組立性を飛躍的に向上させている。
なお、複数の液晶表示部を全透過型液晶表示部か、半透過型液晶表示部か、全反射型液晶表示部か、いずれか異なる二以上の液晶表示部を組み合わせて、フレキシブル基板で一体につなぎ、一つのドライバー回路で駆動する構成をとることが可能である。第一の液晶表示部１を全透過型液晶表示装置とし、第二の液晶表示部２を半透過型液晶表示装置としても良いし、第一の液晶表示部１と第二の液晶表示部２の両方を全透過型液晶表示装置としてもよい。特に、両方を全透過型液晶表示装置としたときは、バックライト９を共用して使うことが出来る。
図５と図６に上記本発明に係る携帯電話装置１００の外観図を示す。図５は第一の筐体２１２に対して第二の筐体２１４を閉じた状態の外観図であり、図６は第二の筐体２１４を開いた状態の外観図である。
図５の筐体を閉じた状態で着信があると、制御部１８は着信した発呼者電話番号をメモリー１９に記憶してある電話帳の登録済み電話番号と照合し、一致したときには一致した電話番号と関連づけて記憶してある発呼者の氏名と顔写真の画像情報を読み出して第二の液晶表示部２に表示する。なお、着信中に第二の筐体２１４を開いたときには、図６のように同じ画像を引き続き第一の液晶表示部１に表示するように切り替えている。本発明では、第一の液晶表示部１も第二の液晶表示部２も一つのドライバー回路４で駆動しているため、発呼者の氏名と顔写真の画像情報はドライバー回路４のメモリー部４１に一旦記憶してあるので、第二の筐体２１４の開閉動作を検出したときに、メモリー部４１の画像情報を表示切替部４２により、第一の液晶表示部１に表示するか、第二の液晶表示部２に表示するかを切り替えるだけでよい。このため、表示切り替えの応答が早く、素早い開閉動作に追随することができる。そのため、従来のように筐体の開閉時に表示が消え、しばらくして画面表示されるということはない。
なお、図５と図６では同じ画像を表示する例を示したが、第一の液晶表示部１の大きさが第二の液晶表示部２より大きいときは、ドライバー回路のメモリー部４１に記憶させる画像情報は、第一の液晶表示部１に表示できる画像情報として、第二の液晶表示部２には、その中で表示可能な分だけの画像情報を切り抜いた形で表示させる。例えば第一の液晶表示部１には、発呼者の氏名、顔写真と会社名を表示するが、表示できる範囲の小さい第二の液晶表示部２には発呼者の氏名と顔写真だけを表示して、会社名は割愛する。このことにより、着信があったときは、第二の液晶表示部２で氏名と顔写真を見るが、第二の筐体２１４を開いて第一の液晶表示部１に表示される会社名等のより詳しい情報を見て発呼者をより正確に確認することが出来る。
図７に、着信時に筐体を開閉動作したときの表示切り替えの制御手順をフローチャートにして示す。
図７において、本発明の携帯電話装置１００のキー操作部２１７が操作されて電源がオンされると（ステップＳ１）、制御部１８は、開閉検出手段２２１により開閉状態を確認する（ステップＳ２）。第二の筐体２１４が閉じていれば、第二の液晶表示部２に待ち受け画面を表示する（ステップＳ３）。そして着信を待つ（ステップＳ４）。
着信があると、着信した発呼者電話番号をメモリー１９の電話帳データと照合し、一致したときは該当する登録者の氏名と顔写真を表示する（ステップＳ５）。第二の液晶表示部２に表示された顔写真を見た携帯電話装置１００の使用者が、通話するために第二の筐体２１４を開くと（ステップＳ５１）、第一の液晶表示部１にこれまで第二の液晶表示部２に表示していた発呼者の氏名と顔写真を表示する（ステップＳ６）。使用者は通話ボタンを押して通話を開始する（ステップＳ７）。
そのまま第二の筐体２１４を開いたままであれば（ステップＳ８）、次世代通信システム（Ｗ−ＣＤＭＡ）等により通話相手から受信した画像を第一の液晶表示部１に表示する（ステップＳ９）。
通話開始後に、イヤホンマイクで通話することにして第二の筐体２１４を閉じた時は、通話相手から受信した画像を第二の液晶表示部２に表示する（ステップＳ１３）。
通話終了となれば（ステップＳ１０）、再び開閉検出手段２２１が筐体の開閉状況を確認する（ステップＳ２）。第二の筐体２１４が閉じていれば、第二の液晶表示部２に待ち受け画面を表示する（ステップＳ３）。そして、上記と同じ手順で着信を待つ（ステップＳ４）。第二の筐体２１４が閉じていなければ、第一の液晶表示部１に待ち受け画面を表示して（ステップＳ１１）、着信を待つ（ステップＳ１２）。このように、第一の液晶表示部１と第二の液晶表示部２の表示切り替えを行うようにしている。
実用化されている従来の折り畳み式携帯電話装置の第二の液晶表示部２の画面は小さく、発呼者情報は確認しにくいが、カメラのモニターができる程度の大きさにすれば、着信時に発呼者の顔写真程度の表示をすることは可能であり、第二の液晶表示部２の顔写真を見て発呼者を確認し、第二の筐体２１４を開けてより大きな第一の液晶表示部１に表示される顔写真プラスアルファの発呼者情報を見てから通話をするという使い方をすることができる。
（実施の形態２）
次に、本発明の第二の形態に係る携帯電話装置を説明する。
図８は、本発明の第二の形態に係る携帯電話装置１００の第二のカメラ２４を用いて、Ａさん６０がＢさん６１の顔を撮影しようとしている状況を示した図である。Ａさん６０は、携帯電話装置１００の第一の筐体２１２を手で持ち、第二の筐体２１４を開けて第二のカメラ２４をＢさん６１に向けている。このとき、携帯電話装置１００は、直接的にはドライバー回路４の表示切替部４２によって第一の液晶表示部１と第二の液晶表示部２の両方に第二のカメラ２４でとらえている画像をモニター表示している。なお、第二の筐体２１４を立てて、第二の筐体２１４の表と裏からそれぞれ第一の液晶表示部１と第二の液晶表示部を見るということは、第二の液晶表示部２の画像の天地を前述の第一の形態のときと逆にしなければならない。そのため、本発明の第二の形態では、ドライバー回路４から第二の液晶表示部２に画像信号を出力する際に、出力順を逆にして天地逆の画面を表示している。
図９と図１０に本発明の第二の形態に係る携帯電話装置の外観を示す。図９は第二の液晶表示部２が見えるようにした外観図、図１０は第一の液晶表示部１が見えるようにした外観図である。本発明の第二の形態では、第二の液晶表示部２の大きさが第一の液晶表示部１より小さいために、第一の液晶表示部１で表示される表示領域６２１の一部分、つまり二点鎖線の枠で囲った表示領域６２２の画像情報だけを切り抜いた形で第二の液晶表示部２に表示している。
このように第一の液晶表示部１と第二の液晶表示部２に第二のカメラ２４のモニター画面を同時に表示するので、撮影者のＡさん６０がモニター画面を見るだけでなく被写体であるＢさん６１も同時にモニター画面を見ることが出来る。そのため、被写体であるＢさん６１もカメラ２４にどのように写っているかを確認することが出来る。
（実施の形態３）
次に、本発明の第三の形態に係る携帯電話装置について説明する。本発明では、図１で既に説明したように第二の筐体２１４の表と裏に第一のカメラ２３と第二のカメラ２４を搭載し、制御部１８に第一のカメラ２３で撮影した画像情報と第二のカメラ２４で撮影した画像情報とを合成する機能を持たせている。
このことにより、第一のカメラ２３で撮影したＡさん６０の画像情報と第二のカメラ２４で撮影したＢさん６１の画像情報を一つの画面に合成して表示することが出来る。
図１１と図１２に、第一のカメラ２３でモニター中のＡさん６０のモニター画像６０２と第二のカメラ２４でモニター中のＢさん６１のモニター画像６１２を一つの画面に合成して表示したときの本発明の携帯電話装置の外観図を示す。図１１は第二の液晶表示部２が見えるようにした外観図であり、第二の液晶表示部２の右半分にＡさんのモニター画像６０２が、左半分にＢさんのモニター画像６１２が表示されている。図１２は第一の液晶表示部１が見えるようにした外観図であり、第一の液晶表示部１の右半分に同じくＡさんのモニター画像６０２が、左半分にＢさんのモニター画像６１２が表示されている。このようにＡさんとＢさんの両者が合成されたモニター画面を同時に見ることで、二人並んだ写真撮影をタイミングよく撮影することが簡単に出来るようになる。
なお図１３と図１４に、一方の画像情報を所定位置の所定形状の枠内に画像を合成して表示したときの本発明の携帯電話装置の外観図を示す。図１３は第二の液晶表示部２が見えるようにした外観図、図１４は第一の液晶表示部１が見えるようにした外観図である。図１３と図１４では、Ｂさんのモニター画像６１２がハート形の枠の中にはめ込まれた形で合成されている。
なお、上記の実施の形態の説明では、第一の液晶表示部１と第二の液晶表示部２に同時に画像を表示するのはモニター画像として説明したが、既にカメラで撮影した画像を第一の液晶表示部１と第二の液晶表示部２に同時に表示しても良い。たとえば図１５のように、カメラで撮影済みの画像をテーブルをはさんで、携帯電話装置１００の両側から複数人６２が見ることが出来る。
この第一の液晶表示部１と第二の液晶表示部２に同じ画像を同時に表示する機能は、カメラの付いていない携帯電話装置でも、メール受信した写真画像や、受信したメール、ｉモード等でインターネットのネットワークから受け取ったニュースや天気予報などのテキスト情報やその他の画像を、第一の液晶表示部１と第二の液晶表示部２に同時に表示して、複数人が同一の画像を同時に見ることが出来るという効果がある。
（実施の形態４）
次に、本発明の第四の形態に係る携帯電話装置を説明する。本発明の携帯電話装置について、第一の形態から第三の形態では、折り畳み式携帯電話装置を例として説明したが、本発明は複数の液晶表示部を備えた携帯電話装置であれば、折り畳み式携帯電話装置以外の携帯電話装置に適用することができる。
図１６は、第一の液晶表示部１と第二の液晶表示部２を表裏に備えた第二の筐体３２４を第一の筐体３２２に対してスライドさせるように構成した、いわゆるスライドタイプの携帯電話装置３００に本発明を適用した例である。第一の筐体３２２に対して第二の筐体３２４は図中の矢印のように上下方向にスライドする。第二の筐体３２４にはホルダー３１０の表裏に第一の液晶表示部１と第二の液晶表示部２を、そして第一の液晶表示部１と第二の液晶表示部２に挟まれるようにバックライト９を嵌め込み、第一の液晶表示部１と第二の液晶表示部２を接続用フレキシブル基板３で接続して、第一の液晶表示部１側にあるドライバー回路４で駆動するのは、既に説明した第一の形態の図１に示した構成と同じである。
第一の液晶表示部１とバックライト９にはスライド接点３１６を接続している。第一の筐体３２２には、固定接点３１７を設け、固定接点３１７を配線３１８で本体基板２１５に接続している。スライド接点３１６はバネ性を有し、固定接点３１７に対して一定圧力で接したまま摺動自在にしている。磁石２２２と開閉検出手段２２１により、第二の筐体３２４のスライド状態を検出して、第一の液晶表示部１に表示するか、第二の液晶表示部２に表示するか、あるいは両方に表示するかの表示切り替えを行なう。
本発明に係るスライドタイプの携帯電話装置は、折り畳み式携帯電話装置に本発明を適用したときと同様に、ドライバー回路を減らすことができ、ドライバー回路への配線を減らせるので、複数の液晶表示装置を用いたことによるノイズを低減できる。そして、小型化、薄型化、軽量化、コスト低減が実現でき、組み立て性も向上する。  更に、一つのドライバー回路のメモリー部に記憶した画像を表示切替部により、第一の液晶表示部１と他の液晶表示部に開閉動作に追随性良く表示切り替えできる。また、第一の液晶表示部１と第二の液晶表示部２に同じ画像を同時に表示出来るという効果が得られる。
（実施の形態５）
次に、本発明の第五の形態に係る携帯電話装置を説明する。図１７は、いわゆるストレートタイプの携帯電話装置４００に本発明を適用した例である。筐体４１２にはホルダー３１０の表裏に第一の液晶表示部１と第二の液晶表示部２を、そして第一の液晶表示部１と第二の液晶表示部２に挟まれるようにバックライト９を嵌めこみ、第一の液晶表示部１と第二の液晶表示部２を接続用フレキシブル基板３で接続し、第一の液晶表示部１側にあるドライバー回路４で駆動するのは、既に説明した第一の形態の図１、そして第４の形態として説明した図１６と同じ構成である。
図１７では、筐体が一体であるため、前述した本発明の他の形態のような開閉検出手段が無い。第一の液晶表示部１と第二の液晶表示部２の表示の切り替えは、操作者によるキー操作部２１７からの入力操作によりドライバー回路４の表示切替部４２が行うが、本発明に係るストレートタイプの携帯電話装置１０２でも、上述した折り畳み式携帯電話装置１００や、スライドタイプの携帯電話装置３００に本発明を適用したときと同様の効果が得られる。
以上のように、本発明によれば、複数の液晶表示部を設けた携帯電話装置であっても、ドライバー回路を減らすことができ、ドライバー回路への配線を減らせるので、複数の液晶表示装置を用いたことによるノイズを低減できる。そして、小型化、薄型化、軽量化、コスト低減が実現でき、組み立て性も向上する。
更に、一つのドライバー回路のメモリー部に記憶した画像を表示切替部により、第一の液晶表示部１と他の液晶表示部に追随性良く表示切り替えできる。
また、第一の液晶表示部１と第二の液晶表示部２に同じ画像を同時に表示出来るので、カメラを搭載した携帯電話装置では撮影者と被写体の両者でモニターを確認できるほか、他の画像についても複数人が第一の液晶表示部１と第二の液晶表示部２に同じ画像を同時に見ることができる。
更に、フレキシブル基板部分で折り曲げるときに、バックライトを挟む形にすることにより、バックライトを共用することができる。
（実施の形態６）
次に、本発明の第六の形態に係る携帯電話装置を説明する。図１８は、第一の筐体５１２の平面に垂直に回転軸５１３を設け、第二の筐体５１４を回転軸５１３についてスライド回転するようにして、折り畳んで使用あるいは延ばして使用できるようにしたいわゆるスライド回転タイプの携帯電話装置５００に本発明を適用した例である。第二の筐体５１４には第一の液晶表示部１と第二の液晶表示部２を設けている。第一の液晶表示部１と第二の液晶表示部２を一体化した構成は、既に説明した第一の形態と同じ構成であるので詳細な図示と説明は省略する。
図１８のスライド回転タイプの携帯電話装置５００では、第二の筐体５１４の第一の筐体５１２に対する回転角度を検出して、第一の液晶表示部１と第二の液晶表示部２の表示の切り替えを行っている。第二の筐体５１４が閉じているときは、第二の液晶表示部２が第一の筐体５１２に隠れるので、第二の液晶表示部２の表示を行わず、第一の液晶表示部１に表示する画像の天地を回転軸５１３に近い方を天とし、回転軸５１３に遠い方を地として表示する。
そして、第二の筐体５１４を閉じた位置から上方に９０度回転すると、第一の液晶表示部１と第二の液晶表示部２の両方または一方に横向きの画像を表示し、第二の筐体５１４を閉じた位置から上方に１８０度回転すると、第一の液晶表示部１と第二の両方または一方に、閉じたときと天地を逆にした画像を表示するようにしている。本発明に係るスライド回転タイプの携帯電話装置５００でも第一の液晶表示部１と第二の液晶表示部２を共通のドライバー回路で駆動することにより、ドライバー回路を減らすことができ、ドライバー回路への配線を減らせるので、複数の液晶表示装置を用いたことによるノイズを低減できる。そして、小型化、薄型化、軽量化、コスト低減が実現でき、組み立て性も向上し、第一の筐体５１２に対する第二の筐体５１４の相対位置に応じて表示方向を切り替えるので画像が見やすいという効果が得られる。
【産業上の利用の可能性】
以上のように、本発明は複数の液晶表示部を設けた場合において、ドライバー回路を減らすことができ、ドライバー回路への配線が減り、ノイズを低減できるので、複数の表示部を持つ携帯電話装置やＰＤＡ（Ｐｅｒｓｏｎａｌ  Ｄｉｇｉｔａｌ  Ａｓｉｓｔａｎｃｅ）その他の電子機器に利用するのに適している。
図面の参照符号の一覧表
１  第一の液晶表示部
２  第二の液晶表示部
３  接続用フレキシブル基板
４  ドライバー回路
９  バックライト
１８  制御部
１９  メモリー
２３  第一のカメラ
２４  第二のカメラ
４１  メモリー部
４２  表示切替部
２１２  第一の筐体
２１３  ヒンジ
２１４  第二の筐体
２１５  本体基板
２１７  キー操作部
２１９  メモリー
２２０  無線部
２２１  開閉検出手段
２２３  マイク
２２４  スピーカー
３１０  ホルダー
【図１】
2004027504.tif 000003
【図２】
2004027504.tif 000004
【図３】
2004027504.tif 000005
【図４】
2004027504.tif 000006
【図５】
2004027504.tif 000007
【図６】
2004027504.tif 000008
【図７】
2004027504.tif 000009
【図８】
2004027504.tif 000010
【図９】
2004027504.tif 000011
【図１０】
2004027504.tif 000012
【図１１】
2004027504.tif 000013
【図１２】
2004027504.tif 000014
【図１３】
2004027504.tif 000015
【図１４】
2004027504.tif 000016
【図１５】
2004027504.tif 000017
【図１６】
2004027504.tif 000018
【図１７】
2004027504.tif 000019
【図１８】
2004027504.tif 000020
【図１９】
2004027504.tif 000021
【図２０】
2004027504.tif 000022
【手続補正書】
【提出日】平成17年1月27日(2005.1.27)
【手続補正１】
【補正対象書類名】特許請求の範囲
【補正対象項目名】全文
【補正方法】変更
【補正の内容】
【特許請求の範囲】
【請求項１】
複数の液晶表示部をフレキシブル基板で一体につなぎ、共通のドライバー回路で前記複数の液晶表示部を駆動するように構成した携帯電話装置。
【請求項２】
前記複数の液晶表示部を全透過型液晶表示部か半透過型液晶表示部か全反射型液晶表示部かの、いずれか異なる二以上の液晶表示部を組み合わせて、フレキシブル基板で一体につなぎ、一つのドライバー回路で駆動するように構成した請求項１に記載の携帯電話装置。
【請求項３】
前記複数の液晶表示部をフレキシブル基板で一体につなぎ、一つのドライバー回路で前記複数の液晶表示部の内の一つの液晶表示部を選択して駆動するように構成した請求項１に記載の携帯電話装置。
【請求項４】
前記複数の液晶表示部をフレキシブル基板で一体につなぎ、共通のドライバー回路で前記複数の液晶表示部の内の二以上の液晶表示部を同時に駆動するように構成した請求項１に記載の携帯電話装置。
【請求項５】
一組の液晶表示部をフレキシブル基板部分で折り曲げて取りつける際に、バックライトを中間に挟む形にして、バックライトを共用するようにした請求項１に記載の携帯電話装置。
【請求項６】
複数の液晶表示部をフレキシブル基板で一体につなぎ、共通のドライバー回路で前記複数の液晶表示部を駆動するようにし、前記複数の液晶表示部について表示切り替えを行なうように構成した液晶表示装置。
【請求項７】
前記の構成に加えて、複数の液晶表示部を取り付けるホルダーを有し、ホルダーの表面と裏面に第一の液晶表示部と他の液晶表示部をそれぞれ取り付け、表裏に液晶表示部を有する液晶表示装置とした請求項６に記載の液晶表示装置。
【請求項８】
前記複数の液晶表示部をフレキシブル基板部分で折り曲げて前記ホルダーに取りつける際に、バックライトを少なくとも一つの前記液晶表示部と前記ホルダーの間に挟む形で取り付けるようにした請求項７に記載の液晶表示装置。
【請求項９】
前記複数の液晶表示部を取り付けるホルダーにバックライト光を通過する穴部を設け、バックライト光をホルダーの表面と裏面に取り付けた複数の液晶表示部のそれぞれに照射できるようにした請求項８に記載の液晶表示装置。
【請求項１０】
請求項６から請求項９に記載のいずれかの液晶表示装置を用いた携帯電話装置。
【請求項１１】
請求項６から請求項９に記載のいずれかの液晶表示装置を用いた、開閉タイプ、スライドタイプ、あるいはスライド回転タイプの折り畳み式携帯電話装置において、第一の筐体に対する第二の筐体の相対位置に応じて、第一の液晶表示部または第二の液晶表示部の画像の天地を切り替えるようにした折り畳み式携帯電話装置。
【請求項１２】
請求項６から請求項９に記載のいずれかの液晶表示装置を用いた、開閉タイプ、スライドタイプ、あるいはスライド回転タイプの折り畳み式携帯電話装置において、第一の液晶表示部と第二の液晶表示部を同時に表示するときには、画像の天地を同じにするようにした折り畳み式携帯電話装置。
【手続補正２】
【補正対象書類名】明細書
【補正対象項目名】全文
【補正方法】変更
【補正の内容】
【書類名】明細書
【技術分野】
【０００１】
本発明は、複数の液晶表示部を備えた折り畳み式携帯電話装置等の携帯電話装置に用いる液晶表示装置と液晶表示装置を用いた携帯電話装置に関する。
【背景技術】
【０００２】
従来の折り畳み式携帯電話装置では、例えば、特開２００１−１３６２５１号に記載されたように、操作者が筐体を開いた状態で見る第一の液晶表示装置と、筐体を閉じた状態で見る第二の液晶表示装置を設けたものが知られている。
【０００３】
従来の折り畳み式携帯電話装置２００の概略断面図を図１９に示す。折り畳み式携帯電話装置２００は、第一の筐体２１２から延びたアームの先のヒンジ２１３に第二の筐体２１４を開閉自在に支承している。第二の筐体２１４には、第二の筐体２１４を開いたときに操作者が見る第一の液晶表示装置２０１と、第二の筐体２１４を閉じたときに操作者が見る第二の液晶表示装置２０２をそれぞれの表示面が外部から見えるように取り付けている。第一の液晶表示装置２０１は全透過型液晶表示装置を用い、背面にバックライト２０９を設けて、背面から光を照射して明るい表示画面を実現している。第二の液晶表示装置２０２は半透過型液晶表示装置を用い、外部光を反射してバックライトなしでも表示内容が見えるようにしている。
【０００４】
第一の液晶表示装置２０１と第二の液晶表示装置２０２はそれぞれ独立した液晶表示装置であり、それぞれのドライバー回路２４１、２４２で駆動する。第一の液晶表示装置２０１と第二の液晶表示装置２０２とバックライト２０９は、先端が分岐した制御用フレキシブル基板２１６にそれぞれ接続されており、制御用フレキシブル基板２１６の他端は第一の筐体２１２内の本体基板２１５に接続されている。
【０００５】
第二の筐体２１４には、開閉検出用の磁石２２２とスピーカ２２４が実装されている。スピーカ２２４は図示していないが、前述の制御用フレキシブル基板２１６に接続し、本体基板２１５の無線部２２０で受信した通話相手の音声を出力する。
【０００６】
第一の筐体２１２には、携帯電話装置の本体基板２１５を設けている。本体基板２１５には、制御部２１８、メモリー２１９、無線部２２０の各回路やキー操作部２１７、マイク２２３、開閉検出手段２２１を実装して携帯電話装置としての無線通信機能を実現している。
【０００７】
図２０に、従来の折り畳み式携帯電話装置２００の概略ブロック図を示す。図２０の制御部２１８には、第一のドライバー回路２４１と第二のドライバー回路２４２を接続して、その先にそれぞれ第一の液晶表示装置２０１と第二の液晶表示装置２０２を接続している。第一のドライバー回路２４１と第二のドライバー回路２４２には表示する画像情報を一時記憶する第一のメモリー部２５１と第二のメモリー部２５２を設けている。また、制御部２１８には画像情報を記憶したメモリー２１９、全透過型の液晶表示装置である第一の液晶表示装置２０１用のバックライト２０９、無線通信を行う無線部２２０，送話用のマイク２２３、受話用のスピーカ２２４、キー操作部２１７、開閉検出部２２１を接続している。
【０００８】
この従来の携帯電話装置２００の表示動作を説明する。例えば、待ち受け画面を表示するときは、制御部２１８は、開閉検出手段２２１から第二の筐体２１４の開閉状況を確かめる。第二の筐体２１４が閉じていれば、制御部２１８はメモリー２１９から待ち受け画面用の画像情報を読出し、第二のドライバー回路２４２の第二のメモリー部２５２に記憶させて、第二の液晶表示装置２０２に待ち受け画面を表示させる。このとき、第一の液晶表示装置２０１用の第一のドライバー回路２４１の第一のメモリー部２５１には制御部２１８から画像情報を送らなくてよい。
【０００９】
その後、開閉検出手段２２１が第二の筐体２１４が開いたことを検出すると、制御部２１８は前記第二の液晶表示装置２０２の電源を切り、代わりに第一の液晶表示装置２０１の電源を入れて、第一の液晶表示装置２０１に表示させる画像情報をメモリー２１９から読み出して、第一のドライバー回路２４１の第一のメモリー部２５１に記憶させて表示させる。そして、他の画像を表示するときも第二の筐体２１４の開閉動作に応じて上記と同様の表示切り替え動作を行う。
【００１０】
このように、表示している液晶表示手段の電源を切り、他の液晶表示装置の電源を入れて画像情報をメモリーから読み出して、ドライバー回路のメモリー部に一時記憶させてから表示させるという表示切り替え動作は、第二の筐体の開閉を素早く行ったときには表示切り替えが追随せず、筐体を開いた後に液晶表示画面が立ち上がることが起きる。
【００１１】
従来の折り畳み式携帯電話装置等の複数の液晶表示装置を持った携帯電話装置では、複数の液晶表示装置を個々に独立した液晶表示装置としている。そのため、液晶表示装置ごとにドライバー回路を取り付け、それぞれ液晶表示部とドライバー回路間で配線を行っている。液晶表示装置を駆動し画像信号を送るとノイズが発生し、無線部２２０の無線通信に影響を与えるので、個々のドライバー回路をシールド板で覆うなどのノイズ対策を施す必要がある。シールドを完全にするためには、少なくともシールド板とその周囲を密着固定する手段が必要であり、シールド対策部品が携帯電話装置内で所定の空間を占め、携帯電話装置の重さを増し、所定の組立工数を必要とする。液晶表示装置の数が増えれば増えただけ、シールド対策部品も増える。複数の液晶表示装置を持った携帯電話装置では、液晶表示装置に起因するノイズ対策は、携帯電話装置の小型化、薄型化、軽量化、コスト低減と組立て性の向上を妨げるという課題を有していた。
【発明の開示】
【００１２】
本発明は、これら複数の液晶表示装置を用いたことによるノイズの低減、小型化、薄型化、軽量化、コスト低減と組立て性の向上という課題を解決した液晶表示装置及び液晶表示装置を用いた携帯電話装置を提供することを第一の目的としている。
【００１３】
また本発明は、第一の液晶表示装置と第二の液晶表示装置の表示切り替えに一定の時間がかかり、筐体の開閉動作を素早く行なえば表示切り替えが追随しないという問題を解決することを第二の目的としている。
【００１４】
さらに本発明は、最近普及し始めたカメラ付き携帯電話装置のモニター画像を第一の液晶表示装置と第二の液晶表示装置に同時に表示させるというように、第一の液晶表示装置と第二の液晶表示装置を同時に表示させるようにした携帯電話装置を提供することを第三の目的としている。
【００１５】
本発明の携帯電話装置では、複数の液晶表示部をフレキシブル基板で一体につなぎ、共通のドライバー回路で複数の液晶表示部を駆動している。これにより、ドライバー回路を共用化してドライバー回路の数を減らしたことと、ドライバー回路に接続する配線を少なくしたことにより複数の液晶表示装置を用いたことによるノイズを低減している。そして、携帯電話装置の小型化、薄型化、軽量化とコスト低減と組み立て性の向上を実現している。
【００１６】
また、本発明の携帯電話装置では、複数の液晶表示部を全透過型液晶表示部か半透過型液晶表示部か全反射型液晶表示部かの、いずれか異なる二以上の液晶表示部を組み合わせて、フレキシブル基板で一体につなぎ、一つのドライバー回路で駆動している。これにより、製造工程の異なる液晶表示装置を一つの液晶表示装置として一体化することができる。
【００１７】
更に、本発明の携帯電話装置では、複数の液晶表示部をフレキシブル基板で一体につなぎ、一つのドライバー回路で複数の液晶表示部の内の一つの液晶表示部を選択して駆動している。ドライバー回路を共用化したことにより、ドライバー回路のメモリー部に画像情報を記憶して、第一の液晶表示部に表示させるか、他の液晶表示部に表示させるかをドライバー回路の表示切替部で切り替えるだけで、画像を表示する液晶表示部を切り替えている。これにより、筐体の開閉動作が素早く行われたとしても、表示切り替えを追随させることができる。
【００１８】
また、本発明の携帯電話装置では、複数の液晶表示部をフレキシブル基板で一体につなぎ、共通のドライバー回路で前記複数の液晶表示部の内の２以上の液晶表示部を同時に駆動する構成を採る。これにより、ドライバー回路の表示切替部で第一の液晶表示部と他の液晶表示部を同時に表示するように切り替えることもできる。例えば、カメラ付き携帯電話装置で人物写真を撮影するときの撮影者と被写体となる被撮影者の両者が同時にモニター画像を見たり、撮影済みの写真等の画像を携帯電話装置の両側から見ることが出来る。
【００１９】
更に、本発明の携帯電話装置では、一組の液晶表示部をフレキシブル基板を折り曲げて取りつける際に、バックライトを中間に挟む形にして、バックライトを共用している。これにより、一組の液晶表示部でバックライトを共用することができる。
【００２０】
また、本発明の液晶表示装置は、複数の液晶表示部をフレキシブル基板で一体につなぎ、共通のドライバー回路で複数の液晶表示部を駆動するようにし、複数の液晶表示部について表示切り替えを行なう。これにより、一つのドライバー回路で駆動する複数の表示部を選択的に、あるいは同時に表示させることができる。
【００２１】
また、本発明の液晶表示装置は、複数の液晶表示部を取り付けるホルダーを更に用いることにより、ホルダーの表面と裏面に第一の液晶表示部と他の液晶表示部をそれぞれ取り付けることにより、表裏に液晶表示部を設けている。これにより、ホルダーの表面と裏面に液晶表示部を取り付けるだけでユニット化された液晶表示装置を簡単に組み立てることが出来る。
【００２２】
更に、本発明の液晶表示装置は、複数の液晶表示部を接続しているフレキシブル基板を折り曲げてホルダーに取りつける際に、バックライトを少なくとも一つの液晶表示部とホルダーの間に挟む形で取り付けている。これにより、バックライトも一体化した液晶表示装置を簡単に組み立てることが出来る。
【００２３】
また、本発明の液晶表示装置は、複数の液晶表示部を取り付けるホルダーにバックライトの光が通過する穴部を設け、バックライトの光をホルダーの表面と裏面に取り付けた複数の液晶表示部のそれぞれに照射している。これにより、複数の液晶表示部でバックライトを共用した液晶表示装置を実現している。
【００２４】
また本発明は、上記した複数の液晶表示部をフレキシブル基板で一体につないで共通のドライバー回路で前記複数の液晶表示部を駆動するようにした液晶表示装置を用いている。これにより、複数の液晶表示装置を用いたことによるノイズの低減と、小型化、薄型化、軽量化と組立性の向上を実現した携帯電話装置を実現している。
【００２５】
また本発明は、携帯電話装置を第一の筐体に対して第二の筐体を開閉する開閉タイプ、スライドするスライドタイプ、あるいは水平方向に回転するスライド回転タイプの折り畳み式携帯電話装置として、第一の筐体に対する第二の筐体の相対位置に応じて第一の液晶表示部または第二の液晶表示部の画像の天地を切り替えるようにしている。これにより、第二の筐体を畳んだとき、開いたときでも見やすい表示ができるようにしている。
【００２６】
特に、第一の液晶表示部と第二の液晶表示部を第二の筐体の表裏に配置して同時に表示するときには、第二の筐体の表と裏のどちらから見ても画像の天地が同じになるように切り替えて見やすい画面を表示するようにしている。
【発明の効果】
【００２７】
以上のように、本発明は複数の液晶表示部を設けた場合において、ドライバー回路を減らすことができ、ドライバー回路への配線が減り、ノイズを低減できるので、複数の表示部を持つ携帯電話装置やＰＤＡ（Ｐｅｒｓｏｎａｌ  Ｄｉｇｉｔａｌ  Ａｓｉｓｔａｎｃｅ）その他の電子機器に利用するのに適している。
【発明を実施するための最良の形態】
【００２８】
以下、本発明の実施の形態について図面を用いて説明する。
【００２９】
（実施の形態１）
図１に本発明の第一の形態に係る携帯電話装置の概略断面図を示す。なお、図１に示す本発明の携帯電話装置１００の構成は、第一の筐体２１２、第二の筐体２１４をはじめ多くの部分は先に述べた従来例と同じなので、同じ部分については同一番号を付して説明を省略する。
【００３０】
図１では、複数の液晶表示部を取り付けるホルダー３１０の第一の凹部３１１にバックライト９を嵌め込み、バックライト９の上方のホルダー３１０の第二の凹部３１２に第一の液晶表示部１を嵌め込んでいる。第一の液晶表示部１にドライバー回路４があり、第一の液晶表示部１の一端に接続用フレキシブル基板３を接続して、その接続用フレキシブル基板３の先に第二の液晶表示部２を接続している。第二の液晶表示装置２は第一の液晶表示部１に接続用フレキシブル基板３で継ぎ足された形になっており、いずれもドライバー回路４で駆動する。接続用フレキシブル基板３については、ホルダー３１０の第一の液晶表示部側から第二の液晶表示部側に向けてコの字型に折り曲げて、接続用フレキシブル基板３の先に接続してある第二の液晶表示部２をホルダー３１０の第三の凹部３１３に嵌め込めるようにしている。なお、ホルダー３１０には第二の液晶表示部２の大きさに対応した穴部３１４が明けてあり、バックライト９の光が第二の液晶表示部２に向けて通過するようにしている。そして、第一の液晶表示部１の端部１ａと、バックライト９の端部９ａを先端の分岐した制御用フレキシブル基板２１６にそれぞれ接続している。制御用フレキシブル基板２１６は、第一の筐体２１２の本体基板２１５に接続している。
【００３１】
このように、本発明の携帯電話装置１００では、第二の筐体２１４内の液晶表示装置を、バックライト９と、第一の液晶表示部１と、第一の液晶表示部１に接続用フレキシブル基板３で一体化した第二の液晶表示部２を、ホルダー３１０の第一の凹部３１１、第二の凹部３１２、第三の凹部３１３にそれぞれ嵌め込んで、一つの液晶表示ユニットとして組み立てる構造を採っている。
【００３２】
なお、第二の筐体２１４には、従来例では付いていなかったカメラ２３、２４をそれぞれ第一の液晶表示部側と第二の液晶表示部側につけている。
【００３３】
図２に上記本発明の第一の形態に係る携帯電話装置１００の概略ブロック図を示す。図２でも、多くの部分は先に述べた従来例と同じなので、同じ部分については同一番号を付して説明を省略する。
【００３４】
図２に示すように、本発明では、第一の液晶表示部１と第二の液晶表示部２を一つのドライバー回路４で駆動する。ドライバー回路４にはメモリー部４１の他に表示切替部４２を設けている。表示切替部４２は、制御部１８によって本体基板のメモリー１９から読み出してメモリー部４１に記憶させた画像情報を第一の液晶表示部１に表示させるか、第二の液晶表示部２に表示させるか、それとも両方に同時に表示させるかを切り替える。
【００３５】
制御部１８には、上記以外に、第一のカメラ２３と第二のカメラ２４が接続してあり、キー操作部２１７から入力される操作信号により制御部１８がカメラ撮影動作を制御する。第一のカメラ２３と第二のカメラ２４で撮影した画像情報は、第一のカメラ用メモリー２７と第二のカメラ用メモリー２８にそれぞれ記憶し、読み出し可能にしている。制御部１８は、第一のカメラ２３と第二のカメラ２４の撮影動作を制御するだけでなく、第一のカメラ用メモリー２７と第二のカメラ用メモリー２８に記憶させた画像情報を組み合わせて合成写真画像情報を作成し、合成写真用メモリー２９に記憶し、読み出し可能にしている。なお、メモリー１９には、電話帳情報も記憶しており、電話帳情報として電話帳登録者の電話番号と電話帳登録者の顔写真を関連づけて記憶させている。
【００３６】
図３に本発明に係る携帯電話装置に用いる液晶表示装置の展開図を示す。第一の液晶表示部１は下ガラス基板１０１の上に図示しない液晶を上ガラス基板１０２との間に封入している。下ガラス基板１０１の一端にはゲートドライバー４３とソースドライバー４４からなるドライバー回路４を実装している。下ガラス基板１０１の他端には接続用フレキシブル基板３を接続しており、接続用フレキシブル基板３は第二の液晶表示部２の下ガラス基板２０１に接続している。第二の液晶表示部２の下ガラス基板２０１には図示しない液晶を第二の液晶表示部２の上ガラス基板２０２との間に封入している。
【００３７】
前記接続用フレキシブル基板３は折り曲げ可能であり、既に図１で示したように第一の液晶表示部１と第二の液晶表示部２が第二の筐体２１４内で互いに背面を向き合わせた形で収納されるよう１８０度折り曲げられるようにしている。
【００３８】
ドライバー回路４のゲートドライバー４３からは第一の液晶表示部１と第二の液晶表示部２にそれぞれゲート配線５，６を接続し、ソースドライバー４４からは第一の液晶表示部１と第二の液晶表示部２にそれぞれソース配線７，８を接続している。
【００３９】
図４に、上記本発明に係る携帯電話装置に用いるバックライト９と、第一の液晶表示部１と、第一の液晶表示部１に接続用フレキシブル基板３で一体化した第二の液晶表示部２を、ホルダー３１０の第一の凹部３１１、第二の凹部３１２、第三の凹部３１３にそれぞれ嵌め込んで、一つの液晶表示ユニットとして組み立てたときの平面図を示す。なお、組立方法及び断面図については、既に図１で説明したので省略する。
【００４０】
以上のように、ドライバー回路の数を減らし、ドライバー回路に接続する配線を減らして、複数の液晶表示装置を用いたことによるノイズの発生を低減している。
【００４１】
また、ドライバー回路の数を減らしたことにより、ドライバー回路に施していたシールド部材などのノイズ対策部品と取り付け部品も併せて削減して、携帯電話装置の小型化、薄型化、軽量化とコスト低減、組立性の向上を実現している。特に、複数の液晶表示部とバックライトをホルダーに嵌め込んで組み立てる構造にしたことにより、組立性を飛躍的に向上させている。
【００４２】
なお、複数の液晶表示部を全透過型液晶表示部か、半透過型液晶表示部か、全反射型液晶表示部か、いずれか異なる二以上の液晶表示部を組み合わせて、フレキシブル基板で一体につなぎ、一つのドライバー回路で駆動する構成をとることが可能である。第一の液晶表示部１を全透過型液晶表示装置とし、第二の液晶表示部２を半透過型液晶表示装置としても良いし、第一の液晶表示部１と第二の液晶表示部２の両方を全透過型液晶表示装置としてもよい。特に、両方を全透過型液晶表示装置としたときは、バックライト９を共用して使うことが出来る。
【００４３】
図５と図６に上記本発明に係る携帯電話装置１００の外観図を示す。図５は第一の筐体２１２に対して第二の筐体２１４を閉じた状態の外観図であり、図６は第二の筐体２１４を開いた状態の外観図である。
【００４４】
図５の筐体を閉じた状態で着信があると、制御部１８は着信した発呼者電話番号をメモリー１９に記憶してある電話帳の登録済み電話番号と照合し、一致したときには一致した電話番号と関連づけて記憶してある発呼者の氏名と顔写真の画像情報を読み出して第二の液晶表示部２に表示する。なお、着信中に第二の筐体２１４を開いたときには、図６のように同じ画像を引き続き第一の液晶表示部１に表示するように切り替えている。本発明では、第一の液晶表示部１も第二の液晶表示部２も一つのドライバー回路４で駆動しているため、発呼者の氏名と顔写真の画像情報はドライバー回路４のメモリー部４１に一旦記憶してあるので、第二の筐体２１４の開閉動作を検出したときに、メモリー部４１の画像情報を表示切替部４２により、第一の液晶表示部１に表示するか、第二の液晶表示部２に表示するかを切り替えるだけでよい。このため、表示切り替えの応答が早く、素早い開閉動作に追随することができる。そのため、従来のように筐体の開閉時に表示が消え、しばらくして画面表示されるということはない。
【００４５】
なお、図５と図６では同じ画像を表示する例を示したが、第一の液晶表示部１の大きさが第二の液晶表示部２より大きいときは、ドライバー回路のメモリー部４１に記憶させる画像情報は、第一の液晶表示部１に表示できる画像情報として、第二の液晶表示部２には、その中で表示可能な分だけの画像情報を切り抜いた形で表示させる。例えば第一の液晶表示部１には、発呼者の氏名、顔写真と会社名を表示するが、表示できる範囲の小さい第二の液晶表示部２には発呼者の氏名と顔写真だけを表示して、会社名は割愛する。このことにより、着信があったときは、第二の液晶表示部２で氏名と顔写真を見るが、第二の筐体２１４を開いて第一の液晶表示部１に表示される会社名等のより詳しい情報を見て発呼者をより正確に確認することが出来る。
【００４６】
図７に、着信時に筐体を開閉動作したときの表示切り替えの制御手順をフローチャートにして示す。
【００４７】
図７において、本発明の携帯電話装置１００のキー操作部２１７が操作されて電源がオンされると（ステップＳ１）、制御部１８は、開閉検出手段２２１により開閉状態を確認する（ステップＳ２）。第二の筐体２１４が閉じていれば、第二の液晶表示部２に待ち受け画面を表示する（ステップＳ３）。そして着信を待つ（ステップＳ４）。
【００４８】
着信があると、着信した発呼者電話番号をメモリー１９の電話帳データと照合し、一致したときは該当する登録者の氏名と顔写真を表示する（ステップＳ５）。第二の液晶表示部２に表示された顔写真を見た携帯電話装置１００の使用者が、通話するために第二の筐体２１４を開くと（ステップＳ５１）、第一の液晶表示部１にこれまで第二の液晶表示部２に表示していた発呼者の氏名と顔写真を表示する（ステップＳ６）。使用者は通話ボタンを押して通話を開始する（ステップＳ７）。
【００４９】
そのまま第二の筐体２１４を開いたままであれば（ステップＳ８）、次世代通信システム（Ｗ−ＣＤＭＡ）等により通話相手から受信した画像を第一の液晶表示部１に表示する（ステップＳ９）。
【００５０】
通話開始後に、イヤホンマイクで通話することにして第二の筐体２１４を閉じた時は、通話相手から受信した画像を第二の液晶表示部２に表示する（ステップＳ１３）。
【００５１】
通話終了となれば（ステップＳ１０）、再び開閉検出手段２２１が筐体の開閉状況を確認する（ステップＳ２）。第二の筐体２１４が閉じていれば、第二の液晶表示部２に待ち受け画面を表示する（ステップＳ３）。そして、上記と同じ手順で着信を待つ（ステップＳ４）。第二の筐体２１４が閉じていなければ、第一の液晶表示部１に待ち受け画面を表示して（ステップＳ１１）、着信を待つ（ステップＳ１２）。このように、第一の液晶表示部１と第二の液晶表示部２の表示切り替えを行うようにしている。
【００５２】
実用化されている従来の折り畳み式携帯電話装置の第二の液晶表示部２の画面は小さく、発呼者情報は確認しにくいが、カメラのモニターができる程度の大きさにすれば、着信時に発呼者の顔写真程度の表示をすることは可能であり、第二の液晶表示部２の顔写真を見て発呼者を確認し、第二の筐体２１４を開けてより大きな第一の液晶表示部１に表示される顔写真プラスアルファの発呼者情報を見てから通話をするという使い方をすることができる。
【００５３】
（実施の形態２）
次に、本発明の第二の形態に係る携帯電話装置を説明する。
【００５４】
図８は、本発明の第二の形態に係る携帯電話装置１００の第二のカメラ２４を用いて、Ａさん６０がＢさん６１の顔を撮影しようとしている状況を示した図である。Ａさん６０は、携帯電話装置１００の第一の筐体２１２を手で持ち、第二の筐体２１４を開けて第二のカメラ２４をＢさん６１に向けている。このとき、携帯電話装置１００は、直接的にはドライバー回路４の表示切替部４２によって第一の液晶表示部１と第二の液晶表示部２の両方に第二のカメラ２４でとらえている画像をモニター表示している。なお、第二の筐体２１４を立てて、第二の筐体２１４の表と裏からそれぞれ第一の液晶表示部１と第二の液晶表示部を見るということは、第二の液晶表示部２の画像の天地を前述の第一の形態のときと逆にしなければならない。そのため、本発明の第二の形態では、ドライバー回路４から第二の液晶表示部２に画像信号を出力する際に、出力順を逆にして天地逆の画面を表示している。
【００５５】
図９と図１０に本発明の第二の形態に係る携帯電話装置の外観を示す。図９は第二の液晶表示部２が見えるようにした外観図、図１０は第一の液晶表示部１が見えるようにした外観図である。本発明の第二の形態では、第二の液晶表示部２の大きさが第一の液晶表示部１より小さいために、第一の液晶表示部１で表示される表示領域６２１の一部分、つまり二点鎖線の枠で囲った表示領域６２２の画像情報だけを切り抜いた形で第二の液晶表示部２に表示している。
【００５６】
このように第一の液晶表示部１と第二の液晶表示部２に第二のカメラ２４のモニター画面を同時に表示するので、撮影者のＡさん６０がモニター画面を見るだけでなく被写体であるＢさん６１も同時にモニター画面を見ることが出来る。そのため、被写体であるＢさん６１もカメラ２４にどのように写っているかを確認することが出来る。
【００５７】
（実施の形態３）
次に、本発明の第三の形態に係る携帯電話装置について説明する。本発明では、図１で既に説明したように第二の筐体２１４の表と裏に第一のカメラ２３と第二のカメラ２４を搭載し、制御部１８に第一のカメラ２３で撮影した画像情報と第二のカメラ２４で撮影した画像情報とを合成する機能を持たせている。
【００５８】
このことにより、第一のカメラ２３で撮影したＡさん６０の画像情報と第二のカメラ２４で撮影したＢさん６１の画像情報を一つの画面に合成して表示することが出来る。
【００５９】
図１１と図１２に、第一のカメラ２３でモニター中のＡさん６０のモニター画像６０２と第二のカメラ２４でモニター中のＢさん６１のモニター画像６１２を一つの画面に合成して表示したときの本発明の携帯電話装置の外観図を示す。図１１は第二の液晶表示部２が見えるようにした外観図であり、第二の液晶表示部２の右半分にＡさんのモニター画像６０２が、左半分にＢさんのモニター画像６１２が表示されている。図１２は第一の液晶表示部１が見えるようにした外観図であり、第一の液晶表示部１の右半分に同じくＡさんのモニター画像６０２が、左半分にＢさんのモニター画像６１２が表示されている。このようにＡさんとＢさんの両者が合成されたモニター画面を同時に見ることで、二人並んだ写真撮影をタイミングよく撮影することが簡単に出来るようになる。
【００６０】
なお図１３と図１４に、一方の画像情報を所定位置の所定形状の枠内に画像を合成して表示したときの本発明の携帯電話装置の外観図を示す。図１３は第二の液晶表示部２が見えるようにした外観図、図１４は第一の液晶表示部１が見えるようにした外観図である。図１３と図１４では、Ｂさんのモニター画像６１２がハート形の枠の中にはめ込まれた形で合成されている。
【００６１】
なお、上記の実施の形態の説明では、第一の液晶表示部１と第二の液晶表示部２に同時に画像を表示するのはモニター画像として説明したが、既にカメラで撮影した画像を第一の液晶表示部１と第二の液晶表示部２に同時に表示しても良い。たとえば図１５のように、カメラで撮影済みの画像をテーブルをはさんで、携帯電話装置１００の両側から複数人６２が見ることが出来る。
【００６２】
この第一の液晶表示部１と第二の液晶表示部２に同じ画像を同時に表示する機能は、カメラの付いていない携帯電話装置でも、メール受信した写真画像や、受信したメール、ｉモード等でインターネットのネットワークから受け取ったニュースや天気予報などのテキスト情報やその他の画像を、第一の液晶表示部１と第二の液晶表示部２に同時に表示して、複数人が同一の画像を同時に見ることが出来るという効果がある。
【００６３】
（実施の形態４）
次に、本発明の第四の形態に係る携帯電話装置を説明する。本発明の携帯電話装置について、第一の形態から第三の形態では、折り畳み式携帯電話装置を例として説明したが、本発明は複数の液晶表示部を備えた携帯電話装置であれば、折り畳み式携帯電話装置以外の携帯電話装置に適用することができる。
【００６４】
図１６は、第一の液晶表示部１と第二の液晶表示部２を表裏に備えた第二の筐体３２４を第一の筐体３２２に対してスライドさせるように構成した、いわゆるスライドタイプの携帯電話装置３００に本発明を適用した例である。第一の筐体３２２に対して第二の筐体３２４は図中の矢印のように上下方向にスライドする。第二の筐体３２４にはホルダー３１０の表裏に第一の液晶表示部１と第二の液晶表示部２を、そして第一の液晶表示部１と第二の液晶表示部２に挟まれるようにバックライト９を嵌め込み、第一の液晶表示部１と第二の液晶表示部２を接続用フレキシブル基板３で接続して、第一の液晶表示部１側にあるドライバー回路４で駆動するのは、既に説明した第一の形態の図１に示した構成と同じである。
【００６５】
第一の液晶表示部１とバックライト９にはスライド接点３１６を接続している。第一の筐体３２２には、固定接点３１７を設け、固定接点３１７を配線３１８で本体基板２１５に接続している。スライド接点３１６はバネ性を有し、固定接点３１７に対して一定圧力で接したまま摺動自在にしている。磁石２２２と開閉検出手段２２１により、第二の筐体３２４のスライド状態を検出して、第一の液晶表示部１に表示するか、第二の液晶表示部２に表示するか、あるいは両方に表示するかの表示切り替えを行なう。
【００６６】
本発明に係るスライドタイプの携帯電話装置は、折り畳み式携帯電話装置に本発明を適用したときと同様に、ドライバー回路を減らすことができ、ドライバー回路への配線を減らせるので、複数の液晶表示装置を用いたことによるノイズを低減できる。そして、小型化、薄型化、軽量化、コスト低減が実現でき、組み立て性も向上する。
【００６７】
更に、一つのドライバー回路のメモリー部に記憶した画像を表示切替部により、第一の液晶表示部１と他の液晶表示部に開閉動作に追随性良く表示切り替えできる。また、第一の液晶表示部１と第二の液晶表示部２に同じ画像を同時に表示出来るという効果が得られる。
【００６８】
（実施の形態５）
次に、本発明の第五の形態に係る携帯電話装置を説明する。図１７は、いわゆるストレートタイプの携帯電話装置４００に本発明を適用した例である。筐体４１２にはホルダー３１０の表裏に第一の液晶表示部１と第二の液晶表示部２を、そして第一の液晶表示部１と第二の液晶表示部２に挟まれるようにバックライト９を嵌めこみ、第一の液晶表示部１と第二の液晶表示部２を接続用フレキシブル基板３で接続し、第一の液晶表示部１側にあるドライバー回路４で駆動するのは、既に説明した第一の形態の図１、そして第４の形態として説明した図１６と同じ構成である。
【００６９】
図１７では、筐体が一体であるため、前述した本発明の他の形態のような開閉検出手段が無い。第一の液晶表示部１と第二の液晶表示部２の表示の切り替えは、操作者によるキー操作部２１７からの入力操作によりドライバー回路４の表示切替部４２が行うが、本発明に係るストレートタイプの携帯電話装置１０２でも、上述した折り畳み式携帯電話装置１００や、スライドタイプの携帯電話装置３００に本発明を適用したときと同様の効果が得られる。
【００７０】
以上のように、本発明によれば、複数の液晶表示部を設けた携帯電話装置であっても、ドライバー回路を減らすことができ、ドライバー回路への配線を減らせるので、複数の液晶表示装置を用いたことによるノイズを低減できる。そして、小型化、薄型化、軽量化、コスト低減が実現でき、組み立て性も向上する。
【００７１】
更に、一つのドライバー回路のメモリー部に記憶した画像を表示切替部により、第一の液晶表示部１と他の液晶表示部に追随性良く表示切り替えできる。
【００７２】
また、第一の液晶表示部１と第二の液晶表示部２に同じ画像を同時に表示出来るので、カメラを搭載した携帯電話装置では撮影者と被写体の両者でモニターを確認できるほか、他の画像についても複数人が第一の液晶表示部１と第二の液晶表示部２に同じ画像を同時に見ることができる。
【００７３】
更に、フレキシブル基板部分で折り曲げるときに、バックライトを挟む形にすることにより、バックライトを共用することができる。
【００７４】
（実施の形態６）
次に、本発明の第六の形態に係る携帯電話装置を説明する。図１８は、第一の筐体５１２の平面に垂直に回転軸５１３を設け、第二の筐体５１４を回転軸５１３についてスライド回転するようにして、折り畳んで使用あるいは延ばして使用できるようにしたいわゆるスライド回転タイプの携帯電話装置５００に本発明を適用した例である。第二の筐体５１４には第一の液晶表示部１と第二の液晶表示部２を設けている。第一の液晶表示部１と第二の液晶表示部２を一体化した構成は、既に説明した第一の形態と同じ構成であるので詳細な図示と説明は省略する。
【００７５】
図１８のスライド回転タイプの携帯電話装置５００では、第二の筐体５１４の第一の筐体５１２に対する回転角度を検出して、第一の液晶表示部１と第二の液晶表示部２の表示の切り替えを行っている。第二の筐体５１４が閉じているときは、第二の液晶表示部２が第一の筐体５１２に隠れるので、第二の液晶表示部２の表示を行わず、第一の液晶表示部１に表示する画像の天地を回転軸５１３に近い方を天とし、回転軸５１３に遠い方を地として表示する。
【００７６】
そして、第二の筐体５１４を閉じた位置から上方に９０度回転すると、第一の液晶表示部１と第二の液晶表示部２の両方または一方に横向きの画像を表示し、第二の筐体５１４を閉じた位置から上方に１８０度回転すると、第一の液晶表示部１と第二の両方または一方に、閉じたときと天地を逆にした画像を表示するようにしている。本発明に係るスライド回転タイプの携帯電話装置５００でも第一の液晶表示部１と第二の液晶表示部２を共通のドライバー回路で駆動することにより、ドライバー回路を減らすことができ、ドライバー回路への配線を減らせるので、複数の液晶表示装置を用いたことによるノイズを低減できる。そして、小型化、薄型化、軽量化、コスト低減が実現でき、組み立て性も向上し、第一の筐体５１２に対する第二の筐体５１４の相対位置に応じて表示方向を切り替えるので画像が見やすいという効果が得られる。
【産業上の利用可能性】
【００７７】
以上のように、本発明は複数の液晶表示部を設けた場合において、ドライバー回路を減らすことができ、ドライバー回路への配線が減り、ノイズを低減できるので、複数の表示部を持つ携帯電話装置やＰＤＡ（Ｐｅｒｓｏｎａｌ  Ｄｉｇｉｔａｌ  Ａｓｉｓｔａｎｃｅ）その他の電子機器に利用するのに適している。
【図面の簡単な説明】
【００７８】
【図１】本発明の第一の形態の携帯電話装置の概略断面図
【図２】本発明の第一の形態の携帯電話装置の概略ブロック図
【図３】本発明の第一の形態の携帯電話装置に用いる液晶表示装置の展開図
【図４】本発明の第一の形態の携帯電話装置に用いる液晶表示ユニットの平面図
【図５】本発明の第一の形態の携帯電話装置を閉じたときの外観図
【図６】本発明の第一の形態の携帯電話装置を開いたときの外観図
【図７】本発明の第一の形態の表示切り替え制御のフローチャート
【図８】本発明の第二の形態の携帯電話装置の使用状態を示す概念図
【図９】本発明の第二の形態の携帯電話装置の外観図
【図１０】本発明の第二の形態の携帯電話装置の外観図
【図１１】本発明の第三の形態の携帯電話装置の外観図
【図１２】本発明の第三の形態の携帯電話装置の外観図
【図１３】本発明の第三の形態の携帯電話装置の外観図
【図１４】本発明の第三の形態の携帯電話装置の外観図
【図１５】本発明の第三の形態の携帯電話装置の使用状態を示す概念図
【図１６】本発明の第四の形態の携帯電話装置の概略断面図
【図１７】本発明の第五の形態の携帯電話装置の概略断面図
【図１８】本発明の第六の形態の携帯電話装置の概略断面図
【図１９】従来の折り畳み式携帯電話装置の概略断面図
【図２０】従来の折り畳み式携帯電話装置の概略ブロック図
【符号の説明】
【００７９】
１  第一の液晶表示部
２  第二の液晶表示部
３  接続用フレキシブル基板
４  ドライバー回路
９  バックライト
１８  制御部
１９  メモリー
２３  第一のカメラ
２４  第二のカメラ
４１  メモリー部
４２  表示切替部
２１２  第一の筐体
２１３  ヒンジ
２１４  第二の筐体
２１５  本体基板
２１７  キー操作部
２１９  メモリー
２２０  無線部
２２１  開閉検出手段
２２３  マイク
２２４  スピーカー
３１０  ホルダー
【手続補正３】
【補正対象書類名】図面
【補正対象項目名】全図
【補正方法】変更
【補正の内容】
【図１】
2004027504.tif 000023
【図２】
2004027504.tif 000024
【図３】
2004027504.tif 000025
【図４】
2004027504.tif 000026
【図５】
2004027504.tif 000027
【図６】
2004027504.tif 000028
【図７】
2004027504.tif 000029
【図８】
2004027504.tif 000030
【図９】
2004027504.tif 000031
【図１０】
2004027504.tif 000032
【図１１】
2004027504.tif 000033
【図１２】
2004027504.tif 000034
【図１３】
2004027504.tif 000035
【図１４】
2004027504.tif 000036
【図１５】
2004027504.tif 000037
【図１６】
2004027504.tif 000038
【図１７】
2004027504.tif 000039
【図１８】
2004027504.tif 000040
【図１９】
2004027504.tif 000041
【図２０】
2004027504.tif 000042
【国際調査報告】
2004027504.tif 000043
2004027504.tif 000044
2004027504.tif 000045
2004027504.tif 000046